(57)【要約】【課題】長期に亙って安定した回転を維持できるようにして、メンテナンスの容易化を図ることのできるフィルム案内ロールと、そのフィルム案内ロールを用いる光学フィルムの製造装置を提供する。【解決手段】フィルム案内ロール６は、樹脂フィルム２の外面に接触して回転するロール本体７と、液漕３内に配置される支持軸９と、支持軸９にロール本体７を軸支させる軸受１０と、を備えた構成とする。軸受１０は、円環状の内側永久磁石１１Ａ，１１Ｂと、円環状の外側永久磁石１２と、を備えた構成とする。内側永久磁石１１Ａ，１１Ｂと外側永久磁石１２は、磁極の向く方向が半径方向で、磁極の向きが逆向きになるように着磁する。内側永久磁石１１Ａ，１１Ｂは軸方向に離間して配置し、外側永久磁石１２は内側永久磁石１１Ａ，１１Ｂの軸方向の中間位置の外周側にエアギャップ１３を介して配置する。【選択図】図３
2013151338.tif 000002
【特許請求の範囲】
【請求項１】
連続して搬送される長尺なフィルムを液漕内の処理液中で案内するフィルム案内ロールであって、
前記フィルムの外面に接触して回転するロール本体と、
前記液漕内に配置される支持体と、
前記支持体に前記ロール本体を回転可能に軸支させる軸受と、を備え、
前記軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられていることを特徴とするフィルム案内ロール。
【請求項２】
連続して搬送される長尺なフィルムを液漕内の処理液中で案内するフィルム案内ロールであって、
前記フィルムの外面に接触して回転するロール本体と、
前記液漕内に配置される支持体と、
前記支持体と前記ロール本体の間に介装され、アキシャル方向の荷重を主に受けて前記ロール本体を前記支持体に回転可能に軸支させるアキシャル軸受と、
前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、
前記アキシャル軸受と前記ラジアル軸受とは、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、
前記アキシャル軸受は、前記一方側の永久磁石の対の軸方向の離間幅が、前記他方側の永久磁石の磁石幅と略同幅に設定され、
前記ラジアル軸受は、前記一方側の永久磁石の対の軸方向の離間幅が、前記他方側の永久磁石の磁石幅よりも狭い幅に設定されていることを特徴とするフィルム案内ロール。
【請求項３】
連続して搬送される長尺なフィルムを液漕内の処理液中で案内するフィルム案内ロールであって、
前記フィルムの外面に接触して回転するロール本体と、
前記液漕内に配置される支持体と、
前記支持体と前記ロール本体の間に介装され、アキシャル方向の荷重を主に受けて前記ロール本体を前記支持体に回転可能に軸支させるアキシャル軸受と、
前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、
前記アキシャル軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、
前記ラジアル軸受は、前記支持体側とロール本体側のいずれか一方に固定されるとともに、磁極の向く方向が半径方向に沿うように着磁された円環状の内側永久磁石と、前記支持体側とロール本体側のいずれか他方に支持されるとともに、磁極の向く方向が半径方向に沿い、かつ前記内側永久磁石と逆向き、若しくは、同じ向きに着磁された棒状の複数の外側永久磁石と、この各外側永久磁石の径方向位置を調整する位置調整機構と、を備え、前記各外側永久磁石と内側永久磁石との間のエアギャップが前記位置調整機構によって調整されることを特徴とするフィルム案内ロール。
【請求項４】
前記ロール本体には、前記フィルムの搬送方向の張力が軸直角方向の荷重として入力されることを特徴とする請求項１〜３のいずれか１項に記載のフィルム案内ロール。
【請求項５】
長尺な樹脂フィルムを、膨潤処理、染色処理、ホウ酸処理、水洗処理の少なくともいずれかの処理において、液漕内の処理液中に連続的に潜らせる光学フィルムの製造装置であって、
前記液漕内の樹脂フィルムを前記液漕の外部に引き出すニップロールと、
前記液漕内の処理液中で前記樹脂フィルムを蛇行させて案内する複数のフィルム案内ロールと、を備え、
前記複数のフィルム案内ロールは、
前記樹脂フィルムの外面に接触して回転するロール本体と、
前記液漕内に配置される支持体と、
前記支持体に前記ロール本体を回転可能に軸支させる軸受と、を備え、
前記軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられていることを特徴とする光学フィルムの製造装置。
【請求項６】
長尺な樹脂フィルムを、膨潤処理、染色処理、ホウ酸処理、水洗処理の少なくともいずれかの処理において、液漕内の処理液中に連続的に潜らせる光学フィルムの製造装置であって、
前記液漕内の樹脂フィルムを前記液漕の外部に引き出すニップロールと、
前記液漕内の処理液中で前記樹脂フィルムを蛇行させて案内する複数のフィルム案内ロールと、を備え、
前記複数のフィルム案内ロールは、
前記樹脂フィルムの外面に接触して回転するロール本体と、
前記液漕内に配置される支持体と、
前記支持体と前記ロール本体の間に介装され、アキシャル方向の荷重を主に受けて前記ロール本体を前記支持体に回転可能に軸支させるアキシャル軸受と、
前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、
前記アキシャル軸受と前記ラジアル軸受とは、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、
前記アキシャル軸受は、前記一方側の永久磁石の対の軸方向の離間幅が、前記他方側の永久磁石の磁石幅と略同幅に設定され、
前記ラジアル軸受は、前記一方側の永久磁石の対の軸方向の離間幅が、前記他方側の永久磁石の磁石幅よりも狭い幅に設定されていることを特徴とする光学フィルムの製造装置。
【請求項７】
長尺な樹脂フィルムを、膨潤処理、染色処理、ホウ酸処理、水洗処理の少なくともいずれかの処理において、液漕内の処理液中に連続的に潜らせる光学フィルムの製造装置であって、
前記液漕内の樹脂フィルムを前記液漕の外部に引き出すニップロールと、
前記液漕内の処理液中で前記樹脂フィルムを蛇行させて案内する複数のフィルム案内ロールと、を備え、
前記複数のフィルム案内ロールは、
前記樹脂フィルムの外面に接触して回転するロール本体と、
前記液漕内に配置される支持体と、
前記支持体と前記ロール本体の間に介装され、アキシャル方向の荷重を主に受けて前記ロール本体を前記支持体に回転可能に軸支させるアキシャル軸受と、
前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、
前記アキシャル軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、
前記ラジアル軸受は、前記支持体側とロール本体側のいずれか一方に固定されるとともに、磁極の向く方向が半径方向に沿うように着磁された円環状の内側永久磁石と、前記支持体側とロール本体側のいずれか他方に支持されるとともに、磁極の向く方向が半径方向に沿い、かつ前記内側永久磁石と逆向き、若しくは、同じ向きに着磁された棒状の複数の外側永久磁石と、この各外側永久磁石の径方向位置を調整する位置調整機構と、を備え、前記各外側永久磁石と内側永久磁石との間のエアギャップが前記位置調整機構によって調整されることを特徴とする光学フィルムの製造装置。
【発明の詳細な説明】
【技術分野】
【０００１】
本発明は、長尺なフィルムを液漕内の処理液中に連続的に潜らせる際に用いられるフィルム案内ロールと、そのフィルム案内ロールを用いる光学フィルムの製造装置に関する。
【背景技術】
【０００２】
偏光フィルムや位相差フィルム等の光学フィルムは液晶表示装置等で多用されている。
この種の光学フィルムの製造に際しては、ニップロールやフィルム案内ロールを使用して、長尺な樹脂フィルム（例えば、ポリビニルアルコール系フィルム）を水に浸漬して膨潤させた後、その樹脂フィルムを二色性色素で染色し、これを延伸し、ついで二色性色素を樹脂フィルムに定着させるために樹脂フィルムをホウ酸処理し、さらに水洗処理した後に乾燥させる（例えば、特許文献１参照）。
【０００３】
ところで、上記のような光学フィルムの製造工程では、膨潤処理や染色処理、ホウ酸処理、水洗処理等おいて、長尺な樹脂フィルムが液漕内の処理液中に連続的に浸漬される。この場合、複数のフィルム案内ロールが液漕内に設置され、その複数のフィルム案内ロールによって樹脂フィルムが液漕内において蛇行して案内される。
ここで用いられるフィルム案内ロールは、フィルムの外面に接触して回転する円筒状のロール本体が軸受を介して支持体に支持された構造とされている。そして、軸受としては、金属製の外輪と内輪の間にセラミックス製の転動体が介装された玉軸受が用いられている。
【先行技術文献】
【特許文献】
【０００４】
【特許文献１】特開２００５−２２７６５０号公報
【発明の概要】
【発明が解決しようとする課題】
【０００５】
しかし、この従来のフィルム案内ロールは、液漕内の腐食性の高い処理液中に浸漬された状態において、長尺な樹脂フィルムの搬送方向の張力が軸直角方向の荷重として作用するため、軸受の構成部品に早期に摩耗や破損が生じ易い。このため、従来のフィルム案内ロールにおいては頻繁な点検と部品交換を余儀なくされていた。
【０００６】
そこで本発明は、長期に亙って安定した回転を維持できるようにして、メンテナンスの容易化を図ることのできるフィルム案内ロールと、そのフィルム案内ロールを用いる光学フィルムの製造装置を提供することを目的とする。
【課題を解決するための手段】
【０００７】
上記課題の解決手段として、請求項１に記載したフィルム案内ロールの発明は、連続して搬送される長尺なフィルムを液漕内の処理液中で案内するフィルム案内ロールであって、前記フィルムの外面に接触して回転するロール本体と、前記液漕内に配置される支持体と、前記支持体に前記ロール本体を回転可能に軸支させる軸受と、を備え、前記軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられるようにした。
【０００８】
請求項２に記載したフィルム案内ロールの発明は、連続して搬送される長尺なフィルムを液漕内の処理液中で案内するフィルム案内ロールであって、前記フィルムの外面に接触して回転するロール本体と、前記液漕内に配置される支持体と、前記支持体と前記ロール本体の間に介装され、アキシャル方向の荷重を主に受けて前記ロール本体を前記支持体に回転可能に軸支させるアキシャル軸受と、前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、前記アキシャル軸受と前記ラジアル軸受とは、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、前記アキシャル軸受は、前記一方側の永久磁石の対の軸方向の離間幅が、前記他方側の永久磁石の磁石幅と略同幅に設定され、前記ラジアル軸受は、前記一方側の永久磁石の対の軸方向の離間幅が、前記他方側の永久磁石の磁石幅よりも狭い幅に設定されるようにした。
【０００９】
請求項３に記載したフィルム案内ロールの発明は、連続して搬送される長尺なフィルムを液漕内の処理液中で案内するフィルム案内ロールであって、前記フィルムの外面に接触して回転するロール本体と、前記液漕内に配置される支持体と、前記支持体と前記ロール本体の間に介装され、アキシャル方向の荷重を主に受けて前記ロール本体を前記支持体に回転可能に軸支させるアキシャル軸受と、前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、前記アキシャル軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、前記ラジアル軸受は、前記支持体側とロール本体側のいずれか一方に固定されるとともに、磁極の向く方向が半径方向に沿うように着磁された円環状の内側永久磁石と、前記支持体側とロール本体側のいずれか他方に支持されるとともに、磁極の向く方向が半径方向に沿い、かつ前記内側永久磁石と逆向き、若しくは、同じ向きに着磁された棒状の複数の外側永久磁石と、この各外側永久磁石の径方向位置を調整する位置調整機構と、を備え、前記各外側永久磁石と内側永久磁石との間のエアギャップが前記位置調整機構によって調整されるようにした。
【００１０】
請求項４に記載したフィルム案内ロールの発明は、請求項１〜３のいずれか１項に記載のフィルム案内ロールにおいて、前記ロール本体には、前記フィルムの搬送方向の張力が軸直角方向の荷重として入力されるようにした。
【００１１】
請求項５に記載した光学フィルムの製造装置の発明は、長尺な樹脂フィルムを、膨潤処理、染色処理、ホウ酸処理、水洗処理の少なくともいずれかの処理において、液漕内の処理液中に連続的に潜らせる光学フィルムの製造装置であって、前記液漕内の樹脂フィルムを前記液漕の外部に引き出すニップロールと、前記液漕内の処理液中で前記樹脂フィルムを蛇行させて案内する複数のフィルム案内ロールと、を備え、前記複数のフィルム案内ロールは、前記樹脂フィルムの外面に接触して回転するロール本体と、前記液漕内に配置される支持体と、前記支持体に前記ロール本体を回転可能に軸支させる軸受と、を備え、前記軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられるようにした。
【００１２】
請求項６に記載した光学フィルムの製造装置の発明は、長尺な樹脂フィルムを、膨潤処理、染色処理、ホウ酸処理、水洗処理の少なくともいずれかの処理において、液漕内の処理液中に連続的に潜らせる光学フィルムの製造装置であって、前記液漕内の樹脂フィルムを前記液漕の外部に引き出すニップロールと、前記液漕内の処理液中で前記樹脂フィルムを蛇行させて案内する複数のフィルム案内ロールと、を備え、前記複数のフィルム案内ロールは、前記樹脂フィルムの外面に接触して回転するロール本体と、前記液漕内に配置される支持体と、前記支持体と前記ロール本体の間に介装され、アキシャル方向の荷重を主に受けて前記ロール本体を前記支持体に回転可能に軸支させるアキシャル軸受と、前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、前記アキシャル軸受と前記ラジアル軸受とは、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、前記アキシャル軸受は、前記一方側の永久磁石の対の軸方向の離間幅が、前記他方側の永久磁石の磁石幅と略同幅に設定され、前記ラジアル軸受は、前記一方側の永久磁石の対の軸方向の離間幅が、前記他方側の永久磁石の磁石幅よりも狭い幅に設定されるようにした。
【００１３】
請求項７に記載した光学フィルムの製造装置の発明は、長尺な樹脂フィルムを、膨潤処理、染色処理、ホウ酸処理、水洗処理の少なくともいずれかの処理において、液漕内の処理液中に連続的に潜らせる光学フィルムの製造装置であって、前記液漕内の樹脂フィルムを前記液漕の外部に引き出すニップロールと、前記液漕内の処理液中で前記樹脂フィルムを蛇行させて案内する複数のフィルム案内ロールと、を備え、前記複数のフィルム案内ロールは、前記樹脂フィルムの外面に接触して回転するロール本体と、前記液漕内に配置される支持体と、前記支持体と前記ロール本体の間に介装され、アキシャル方向の荷重を主に受けて前記ロール本体を前記支持体に回転可能に軸支させるアキシャル軸受と、前記支持体と前記ロール本体の間に前記アキシャル軸受と軸方向に並列に並んで介装され、ラジアル方向の荷重を主に受けて前記ロール本体を前記支持体に回転可能に軸支させるラジアル軸受と、を備え、前記アキシャル軸受は、前記支持体側とロール本体側のいずれか一方に固定されるとともに、磁極の向く方向が半径方向に沿うように着磁された円環状の内側永久磁石と、前記支持体側とロール本体側のいずれか他方に固定されるとともに、磁極の向く方向が半径方向に沿い、かつ前記内側永久磁石と逆向きに着磁された円環状の外側永久磁石と、を備え、前記外側永久磁石がエアギャップを介して前記内側永久磁石の径方向外側に離間して配置されるとともに、前記内側永久磁石と外側永久磁石のうちの一方側の永久磁石が軸方向に離間して一対設けられ、前記内側永久磁石と外側永久磁石のうちの他方側の永久磁石が前記一方側の永久磁石の対の軸方向の中間位置に対向して設けられ、前記ラジアル軸受は、前記支持体側とロール本体側のいずれか一方に固定されるとともに、磁極の向く方向が半径方向に沿うように着磁された円環状の内側永久磁石と、前記支持体側とロール本体側のいずれか他方に支持されるとともに、磁極の向く方向が半径方向に沿い、かつ前記内側永久磁石と逆向き、若しくは、同じ向きに着磁された棒状の複数の外側永久磁石と、この各外側永久磁石の径方向位置を調整する位置調整機構と、を備え、前記各外側永久磁石と内側永久磁石との間のエアギャップが前記位置調整機構によって調整されるようにした。
【発明の効果】
【００１４】
この出願の請求項１，５に係る発明によれば、軸受の内側永久磁石と外側永久磁石の間に作用する径方向の磁気力により、非接触状態でロール本体を支持体に支持させることが可能になり、しかも、内側永久磁石と外側永久磁石のうちの一方側の永久磁石が軸方向に離間して一対設けられ、内側永久磁石と外側永久磁石のうちの他方側の永久磁石が一方側の永久磁石の対の軸方向の中間位置に対向して設けられていることから、一方側の永久磁石の対の軸方向の中間位置に、他方側の永久磁石と異磁極同士で対向して引き合う仮想磁極が生じ、ロール本体と支持体とを非接触状態のまま一定の軸方向位置に保持することが可能になる。
したがって、本発明によれば、軸受内の部品摩耗を無くしてメンテナンスの容易化を図ることができる。
【００１５】
また、この出願の請求項２，６に係る発明によれば、アキシャル軸受とラジアル軸受の各内側永久磁石と外側永久磁石の間に作用する磁気力によってロール本体と支持体とを非接触状態のまま一定の軸方向位置で回転可能に保持することができる。
特に、請求項２，６に係る発明によれば、アキシャル軸受では、一方側の永久磁石の対の軸方向の離間幅を他方側の永久磁石の磁石幅と略同幅に設定したことで大きなスラスト荷重を支持することができ、ラジアル軸受では、一方側の永久磁石の対の軸方向の離間幅を他方側の永久磁石の磁石幅よりも狭い幅に設定したことで大きなラジアル荷重を支持することができる。
【００１６】
また、この出願の請求項３，７に係る発明によれば、アキシャル軸受とラジアル軸受の各内側永久磁石と外側永久磁石の間に作用する磁気力によってロール本体と支持体とを非接触状態のまま一定の軸方向位置で回転可能に保持することができる。
特に、請求項３，７に係る発明によれば、ラジアル軸受が、磁極の向く方向が半径方向に沿うように着磁された円環状の内側永久磁石と、磁極の向く方向が半径方向に沿い、かつ内側永久磁石と逆向き、若しくは、同じ向きに着磁された棒状の複数の外側永久磁石と、各外側永久磁石の径方向位置を調整する位置調整機構と、を備えた構造とされているため、ラジアル軸受の径方向の磁力のバランスを位置調整機構によって容易に調整することができる。
【図面の簡単な説明】
【００１７】
【図１】本発明の第１の実施形態の光学フィルムの製造装置の模式的な断面図である。
【図２】本発明の第１の実施形態の光学フィルムの製造装置の模式的な上面図である。
【図３】本発明の第１の実施形態の光学フィルムの製造装置の図２のＡ−Ａ断面に対応する模式的な断面図である。
【図４】本発明の第１の実施形態のフィルム案内ロールの軸受部分の半断面図である。
【図５】本発明の第２の実施形態のフィルム案内ロールの軸受部分の半断面図である。
【図６】本発明の第３の実施形態の光学フィルムの製造装置の図２のＡ−Ａ断面に対応する模式的な断面図である。
【図７】本発明の第４の実施形態の光学フィルムの製造装置の図２のＡ−Ａ断面に対応する模式的な断面図である。
【図８】本発明の第４の実施形態の光学フィルムの製造装置の図７のＢ−Ｂ断面に対応する模式的な断面図である。
【図９】本発明の第４の実施形態のフィルム案内ロールのラジアル軸受の縦断面図である。
【図１０】本発明の第４の実施形態のラジアル軸受の図９のＣ矢視方の側面図である。
【図１１】本発明の第５の実施形態の光学フィルムの製造装置の図８と同様の模式的な断面図である。
【発明を実施するための形態】
【００１８】
以下、本発明の各実施形態を、図面を参照して説明する。
図１〜図３は、第１の実施形態の光学フィルムの製造装置１の概略構成を示す図である。本実施形態の製造装置１は、例えば、偏光フィルムの製造において、ポリビニルアルコール系フィルム等の長尺な樹脂フィルム２を水に浸漬して膨潤させる膨潤処理や、膨潤処理の後に樹脂フィルム２を二色性色素で染色する染色処理、染色処理の後に二色性色素を樹脂フィルム２に定着させるためのホウ酸処理、ホウ酸処理の後に樹脂フィルム２を水洗いする水洗処理の少なくともいずれかの処理で用いられるものである。
【００１９】
図１〜図３において、３は、長尺な樹脂フィルム２を処理液Ｌ（例えば、染色処理で用いられる二色性色素の染色液）に浸漬するための液漕である。
製造装置１は、液漕３の一端側外部に設置されて液漕３内に樹脂フィルム２を連続的に供給する送り出し側の第１ニップロール４と、液漕３の他端側外部に設置されて液漕３内の樹脂フィルム２を連続的に引き込む取り出し側の第２ニップロール５と、図示しない天井側から液漕２内に吊り下げ支持される複数のフィルム案内ロール６と、を備えている。
【００２０】
フィルム案内ロール６は、液漕３内において一定の高さ位置に固定される固定ロール６Ａと、液漕３内の高さ位置を調整できる昇降ロール６Ｂの二種が存在し、これらの固定ロール６Ａと昇降ロール６Ｂが液漕３内のフィルム送り方向に沿って交互に配置されている。昇降ロール６Ｂは、初期状態では固定ロール６Ａと同一高さまで上昇しており、液漕３内で実際に樹脂フィルム２を案内するときに、固定ロール６Ａに対して下位となるように所定高さまで下降させる。樹脂フィルム２は、こうして高さが交互に上下に変化する固定ロール６Ａと昇降ロール６Ｂに架け渡されることにより、液漕３内で上下に蛇行するようにして連続的に送られる。
なお、固定ロール６Ａと昇降ロール６Ｂは、設置時に昇降できるか否かが異なるのみで、基本的な構造は同様であるため、以下では両者を特別に区別せずにフィルム案内ロール６と呼ぶものとする。
【００２１】
各フィルム案内ロール６は、図３に示すように、樹脂フィルム２の外面に接触して回転する円筒状のロール本体７と、天井側の設置台のアーム部８に固定される支持軸９（支持体）と、支持軸９にロール本体７を回転可能に軸支させる軸受１０と、を備えている。本実施形態では、支持軸９はロール本体７の内周側を軸方向に貫通して設けられ、軸受１０はロール本体７の軸方向の両端部の内側に設置されている。
【００２２】
図３は、軸受１０部分を模式的に表した断面図であり、図４は、軸受１０の実際の詳細な半断面図である。
本実施形態の軸受１０は、支持軸９の外周側に固定設置される二つの円環状の内側永久磁石１１Ａ，１１Ｂと、ロール本体７の内周側に固定設置される一つの円環状の外側永久磁石１２と、を備えている。外側永久磁石１２の内径は内側永久磁石１１Ａ，１１Ｂの外径よりも大きく設定されている。
【００２３】
内側永久磁石１１Ａ，１１Ｂと外側永久磁石１２は、磁極の向く方向が半径方向に沿い、かつ両者の磁極の向きが逆向きになるように着磁されている。例えば、図３に示す例の場合、内側永久磁石１１Ａ，１１Ｂは外周面側がＮ極、内周面側がＳ極となるように着磁され、外側永久磁石１２は内周面側がＮ極、外周面側がＳ極となるように着磁されている。
また、二つの内側永久磁石１１Ａ，１１Ｂは軸方向に離間して支持軸９に固定され、外側永久磁石１２は、内側永久磁石１１Ａ，１１Ｂの軸方向の中間位置に対向するようにロール本体７に固定されている。こうしてロール本体７に固定された外側永久磁石１２と、支持軸９に固定された各内側永久磁石１１Ａ，１１Ｂとは、一部が軸方向でラップし、かつ、両者の間に径方向のエアギャップ１３が設けられている。
【００２４】
この軸受１０では、内側永久磁石１１Ａ，１１Ｂと外側永久磁石１２の間で、円周方向に均等に作用する磁気反力により、ロール本体７を支持軸９に対して非接触状態で回転可能に支持させる。また、この軸受１０では、軸方向に離間して配置された一対の内側永久磁石１１Ａ，１１Ｂの軸方向の中間位置に、外側永久磁石１２の内周側の磁極（図３の例ではＮ極）と異磁極同士で対向して引き合う仮想磁極（仮想Ｓ極）が生じ、外側永久磁石１２が常に仮想磁極と中心部で対向するように、外側永久磁石１２と一対の内側永久磁石１１Ａ，１１Ｂの間に軸方向の保持力が発生する。したがって、この軸受１０においては、ロール本体７と支持軸９とを非接触状態のまま一定の軸方向位置に保持することができる。
【００２５】
図４に示す実際の軸受１０では、支持軸９の軸方向の端部寄りに、支持軸９の一般部よりも直径の大きい大径部１５が所定幅に亙って形成され、その大径部１５の外周上に二つの内側永久磁石１１Ａ，１１Ｂが円筒状の非磁性のスペーサ１６を挟んで嵌合状態で固定されている。具体的には、大径部１５の軸方向の一端側には径方向外側に張り出す抜け止めフランジ１７が設けられ、大径部１５上に嵌合された一方の内側永久磁石１１Ｂの軸方向の変位が、この抜け止めフランジ１７によって規制されるようになっている。そして、二つの内側永久磁石１１Ａ，１１Ｂは、一方の内側永久磁石１１Ｂが抜け止めフランジ１７に当接するまでスペーサ１６とともに大径部１６に嵌合され、支持軸９の端部にナット１８が締め込まれることにより、抜け止めフランジ１７とナット１８によって支持軸９上に固定されている。
【００２６】
また、図４に示す実際の軸受１０では、外側永久磁石１２は円筒状のハウジング１９の内周面に嵌合され、ハウジング１９の軸方向の両側に、外側永久磁石１２の内径と同内径のサイドプレート２０Ａ，２０Ｂが重ねられている。両サイドプレート２０Ａ，２０Ｂはハウジング１９の軸方向の各端面にボルト２１によって締結され、それによって外側永久磁石１２をハウジング１９内に固定している。こうして外側永久磁石１２を内周側に固定したハウジング１９は、図３に示すロール本体７の軸方向の端部に嵌合状態で固定されるようになっている。
【００２７】
本実施形態の製造装置１を用いて、処理液Ｌに対する樹脂フィルム２の連続的な浸漬を行う場合には、図１〜図３に示すように樹脂フィルム２を上下に蛇行させて複数のフィルム案内ロール６に掛け渡し、その状態で第１，第２ニップロール４，５を駆動回転させる。
こうして両ニップロール４，５が駆動回転すると、樹脂フィルム２が複数のフィルム案内ロール６に案内されつつ液漕３内を連続的に移動する。このとき、各フィルム案内ロール６は、ロール本体７が樹脂フィルム２の搬送方向の張力を軸直角方向の荷重として受けつつ、軸受１０を介して支持軸９に対して回転する。
【００２８】
このとき、各フィルム案内ロール６の軸受１０では、図３に示すように、内側永久磁石１１Ａ，１１Ｂと外側永久磁石１２の間に作用する磁力によってロール本体７を支持軸９に対して非接触状態で支持することになり、内部の構成部品の固体接触による摩耗や損傷を生じることがない。
【００２９】
したがって、この光学フィルムの製造装置１で用いるフィルム案内ロール６は、潤滑油を使用できない処理液Ｌ中で、しかも、樹脂フィルム２の張力が軸直角方向の大きな荷重として常に作用する過酷な条件下で使用されるにも拘わらず、軸受１０部分の部品劣化が生じにくいため、点検や部品交換の頻度を少なくして、メンテナンスコストを削減することができる。
【００３０】
また、このフィルム案内ロール６は、半径方向に着磁された円環状の一対の内側永久磁石１１Ａ，１１Ｂと、同様に半径方向に着磁された一つの円環状の外側永久磁石１２によって非接触状態での支持が可能な軸受１０が構成されているため、電磁石を用いるものに比較して構造が簡単で、複雑な制御の必要もなく、低コストでの製造が可能であるという利点もある。
【００３１】
つづいて、図５に示す第２の実施形態について説明する。
図５は、図１，図２に示すフィルム案内ロール６で用いられる異なる形態の軸受１１０の半断面図である。
本実施形態の軸受１１０は、支持軸９の外周側に固定設置される一つの円環状の内側永久磁石１１と、ロール本体７の内周側に固定設置される二つの外側永久磁石１２Ａ，１２Ｂと、を備えている。内側永久磁石１１と外側永久磁石１２Ａ，１２Ｂは、上記の実施形態と同様に、磁極の向く方向が半径方向に沿い、かつ両者の磁極の向きが逆向きになるように着磁されている。
【００３２】
内側永久磁石１１は、支持軸９上の大径部１５に嵌合され、大径部１５の一端側の抜け止めフランジ１７と支持軸９の端部に締め込まれるナット１８によって支軸軸９上に固定されている。一方、外側永久磁石１２Ａ，１２Ｂは、円環状の非磁性のスペーサ１１６を両者の間に挟み込んだ状態で円筒状のケーシング１１９内に嵌合され、ケーシング１１９の両端面に固定されるサイドプレート１２０Ａ，１２０Ｂによって抜け止めされている。こうして支持軸９に固定された内側永久磁石１１と、ロール本体７に固定された各外側永久磁石１２Ａ，１２Ｂとは、一部が軸方向でラップし、かつ、両者の間に径方向のエアギャップ１３が設けられている。また、内側永久磁石１１は、一対の外側永久磁石１２Ａ，１２Ｂの軸方向の中間位置に配置されている。
【００３３】
本実施形態の軸受１１０では、外側永久磁石１２Ａ，１２Ｂと内側永久磁石１１の間で、円周方向に均等に作用する磁気反力により、ロール本体７を支軸軸９に対して非接触状態で回転可能に支持し、外側永久磁石１２Ａ，１２Ｂの軸方向の中間位置に生じる仮想磁極と内側永久磁石１１が異磁極同士で引き合うことで、ロール本体７と支持軸９とを非接触状態のまま一定の軸方向位置に保持することができる。
【００３４】
この軸受１１０を採用したフィルム案内ロールは、上記の実施形態のものとは内側永久磁石１１と外側永久磁石１２Ａ，１２Ｂの数と配置は逆であるものの、上記の実施形態と同様の効果を得ることができる。
【００３５】
次に、図６に示す第３の実施形態について説明する。
図６は、第３の実施形態のフィルム案内ロール２０６の軸受部分を模式的に現わした断面図である。このフィルム案内ロール２０６は、図１，図２に示す光学フィルムの製造装置１に用いられる。
フィルム案内ロール２０６は、第１の実施形態と同様に円筒状のロール本体７が支持軸９の軸方向の両端部に軸受を介して回転可能に支持されるが、軸受は、アキシャル方向の荷重を主に受けるアキシャル軸受２５と、ラジアル方向の荷重を主に受けるラジアル軸受２６が対を成して支持軸９の各片側の端部に設けられている。対を成すアキシャル軸受２５とラジアル軸受２６とは、支持軸９とロール本体７の間に軸方向に並列に並んで介装されている。
【００３６】
アキシャル軸受２５とラジアル軸受２６は、第１の実施形態と同様に、支持軸９の外周側に固定設置される二つの円環状の内側永久磁石２１１Ａ，２１１Ｂと、ロール本体７の内周側に固定設置される一つの円環状の外側永久磁石２１２と、を備えている。内側永久磁石２１１Ａ，２１１Ｂと外側永久磁石２１２は、磁極の向く方向が半径方向に沿い、かつ両者の磁極の向きが逆向きになるように着磁されている。二つの内側永久磁石２１１Ａ，２１１Ｂは軸方向に離間して支持軸９に固定され、外側永久磁石２１２は、内側永久磁石２１１Ａ，２１１Ｂの軸方向の中間位置に対向するようにロール本体７に固定されている。内側永久磁石２１１Ａ，２１１Ｂと外側永久磁石２１２の間には、径方向のエアギャップ１３が設けられている。
【００３７】
アキシャル軸受２５は、内側永久磁石２１１Ａ，２１１Ｂの軸方向の離間幅ｗ１が外側永久磁石２１２の軸方向の磁石幅ｄ１と略同幅（ｗ１≒ｄ１）に設定されている。これに対し、ラジアル軸受２６は、内側永久磁石２１１Ａ，２１１Ｂの軸方向の離間幅ｗ２が外側永久磁石２１２の軸方向の磁石幅ｄ２よりも狭い幅（ｗ２＜ｄ２）に設定される。
【００３８】
本出願人は、内側永久磁石２１１Ａ，２１１Ｂの軸方向の離間幅を変えて支持軸９とロール本体７の間に作用する軸方向の保持力を計測する試験を繰り返し行った結果、内側永久磁石２１１Ａ，２１１Ｂの軸方向の離間幅を外側永久磁石２１２の軸方向の磁石幅とほぼ同じにしたときに軸方向の保持力が最大になることが判明した。離間幅ｗ１を外側永久磁石２１２の軸方向の磁石幅よりも狭めると、径方向の反発力が高まり、軸方向の保持力が次第に減少する。
上側永久磁石２１１Ａ，２１１Ｂの軸方向の離間幅を外側永久磁石２１２の軸方向の磁石幅とほぼ同じ幅にしたときに軸方向の保持力が最大になるのは、上側永久磁石２１１Ａ，２１１Ｂの軸方向の離間幅が外側永久磁石２１２の軸方向の磁石幅とほぼ同じ（ｗ１≒ｄ１）ときに、図６中の白抜き円弧状の矢印で示す磁気ループが最短コースを通るように磁場が形成され、このときに軸方向の保持力（引抜力）が最大になることが理由と予測される。
本出願人は、上記の試験結果を基にして、アキシャル軸受２５における内側永久磁石２１１Ａ，２１１Ｂの軸方向の離間幅ｗ１と外側永久磁石２１２の軸方向の磁石幅ｄ１について、ｗ１≒ｄ１と設定し、ラジアル軸受２６における内側永久磁石２１１Ａ，２１１Ｂの軸方向の離間幅ｗ２と外側永久磁石２１２の軸方向の磁石幅ｄ２について、ｗ２＜ｄ２と設定する。
【００３９】
以上のように、この実施形態のフィルム案内ロール２０６においては、軸方向の各端部にアキシャル軸受２５とラジアル軸受２６が軸方向に並列に配置されているため、支持軸９とロール本体７の間に作用するスラスト荷重とラジアル荷重を、アキシャル軸受２５とラジアル軸受２６によって効率良く受け止められる。
したがって、この実施形態のフィルム案内ロール２０６と、このフィルム案内ロール２０６を採用する光学フィルムの製造装置においては、第１の実施形態とほぼ同様の基本的な効果を得ることができるうえ、スラスト荷重の支持に適した磁気軸受方式のアキシャル軸受２５と、ラジアル荷重の支持に適した磁気軸受方式のスラスト軸受２６によって、ロール本体７を支持軸９に、より安定的に支持させられる。
【００４０】
つづいて、図７〜図１０に示す第４の実施形態について説明する。
図７は、第４の実施形態のフィルム案内ロール３０６の軸受部分を模式的に現わした断面図であり、図８は、図７に示すフィルム案内ロール３０６のＢ−Ｂ部分に対応する断面図、図９，図１０は、軸受部分の実際の詳細な半断面図と側面図である。
フィルム案内ロール３０６は、円筒状のロール本体７が支持軸９の軸方向の各端部に、対を成すアキシャル軸受２５とラジアル軸受３２６によって軸支されている。対を成すアキシャル軸受２５とラジアル軸受３２６とは、支持軸９とロール本体７の間に軸方向に並列に並んで介装されている。アキシャル軸受２５は、第３の実施形態のものと同様の構成とされている。
【００４１】
ラジアル軸受３２６は、支持軸９の外周面に固定設置される一つの円環状の内側永久磁石３１１と、ロール本体７の内周側に位置調整機構２８を介して保持される棒状の複数の外側永久磁石３１２と、を備えている。棒状の外側永久磁石３１２は、支持軸９上の内側永久磁石３１１を挟んで、例えば、鉛直方向の上下２つと水平方向の左右２つの計４つ設けられている。
【００４２】
内側永久磁石３１１は、磁極の向く方向が半径方向に沿うように着磁されており、各外側永久磁石３１２は、磁極の向く方向が内側永久磁石３１１の法線方向に沿い、かつ内周側永久磁石３１１と同極同士で対向するように着磁されている。また、各外側永久磁石３１２と内側永久磁石３１１の間には、径方向のエアギャップ３１３が確保されている。
【００４３】
位置調整機構２８は、各外側永久磁石３１２と内側永久磁石３１１の間のエアギャップ３１３を調整するための機構であり、ねじ操作等によって各外側永久磁石３１２の位置を調整できるようになっている。
【００４４】
図９，図１０に示す実際のラジアル軸受３２６では、内側永久磁石３１１は、支軸軸９上の大径部３１５に嵌合され、その状態で大径部３１５の軸方向の一端側に設けられた固定フランジ２９と、大径部３１５の軸方向の他端側に設けられた係止リング３０とによって挟持固定されている。
なお、図９，図１０中の符号３１は、内側永久磁石３１１と係止リング３０の間に介装されるスペーサであり、符号３２は、係止リング３０を大径部３１５方向に締め込み固定するためのナットである。
【００４５】
また、実際のラジアル軸受３２６では、各外側永久磁石３１２は、磁石ケース３３に収容された状態において、略円筒状の保持リング３４に支持されている。保持リング３４には、内周側に開口する保持溝３５が設けられ、その保持溝３５内には、外側永久磁石３１２が磁石ケース３３とともに径方向に進退変位可能に収容されている。保持リング３４は、支持軸９側の固定フランジ２９と係止リング３０の間に微小な隙間を持たせて配置されている。
【００４６】
保持リング３４には、外周面と各保持溝３５内とを連通するねじ孔３６が設けられている。これに対し、磁石ケース３３、若しくは、外側永久磁石３１２には、保持溝３５内側から各対応するねじ孔３６に螺合される雄ねじ部３７が突設されている。この雄ねじ部３７は、磁石ケース３３、若しくは、外側永久磁石３１２に対して回転可能に取り付けられている。そして、雄ねじ部３７の頂面には、工具によって回転操作するための係合穴３７ａが設けられている。各外側永久磁石３１２は、保持リング３４の外周側から工具によって雄ねじ部３７を回転操作することにより、支持軸９回りの径方向位置、つまりエアギャップ３１３を任意に調整できるようになっている。この実施形態においては、保持溝３５、雄ねじ部３７、ねじ孔３６等によって位置調整機構２８が構成されている。
なお、位置調整機構２８による各外側永久磁石３１２の位置調整は、保持リング３４をロール本体７から取り外して行うようにしても良いが、ロール本体７に工具を挿入するための孔を形成しておき、その孔を通して位置調整を行うようにしても良い。
【００４７】
この実施形態のフィルム案内ロール３０６の場合も、支持軸９の軸方向の各端部にアキシャル軸受２５とラジアル軸受３２６が軸方向に並列に配置されているため、支持軸９とロール本体７の間に作用するスラスト荷重とラジアル荷重を、アキシャル軸受２５とラジアル軸受３２６によって効率良く受け止めることができる。
したがって、このフィルム案内ロール３０６と、このフィルム案内ロール３０６を採用する光学フィルムの製造装置においては、アキシャル軸受２５とラジアル軸受３２６のいずれでも磁力のみによってロール本体７を支持軸９に非接触状態で支持できるため、内部の構成部品の摩耗や損傷を防止することができ、しかも、ロール本体７を支持軸９に、より安定的に支持させることができる。
【００４８】
さらに、この実施形態のフィルム案内ロール３０６においては、ラジアル軸受３２６が、磁極の向く方向が半径方向に沿うように着磁された円環状の内側永久磁石３１１と、磁極の向く方向が半径方向に沿い、かつ内側永久磁石３１１と逆向きに着磁された棒状の複数の外側永久磁石３１２と、各外側永久磁石３１２の径方向位置を調整する位置調整機構２８と、を備えた構造とされているため、ラジアル軸受３２６の径方向の磁力のバランスを位置調整機構２８によって、容易に、かつ、適正に調整することができる。
【００４９】
図１１は、第５の実施形態のラジアル軸受４２６を示すものである。この第５の実施形態のラジアル軸受４２６は、第４の実施形態と基本構造はほぼ同様であるが、すべての外側永久磁石３１２が内側永久磁石３１１と異磁極同士で対向するように設定されている点が異なっている。この実施形態の場合、内側永久磁石３１１と外側永久磁石３１２の間に働く吸引方向の磁力が円周方向でほぼ均等に作用することにより、ロール本体を支持軸に回転可能に軸支させることができる。この実施形態の場合も、ラジアル軸受４２６の磁力のバランスは、位置調整機構２８によって、容易に、かつ、適正に調整することができる。
【００５０】
なお、上記各実施形態における構成は本発明の一例であり、部品構成や構造、形状、大きさ、数及び配置等を含め、当該発明の要旨を逸脱しない範囲で種々の変更が可能である。例えば、上記の各実施形態においては、軸受の内側永久磁石が支軸体（支持軸）側に固定され、外側永久磁石がロール本体側に固定されているが、逆に、軸受の外側永久磁石を支持体側に固定し、内側永久磁石をロール本体側に固定するようにしても良い。
【符号の説明】
【００５１】
１  製造装置
２  樹脂フィルム（フィルム）
３  液漕
５  第２ニップロール（ニップロール）
６，２０６，３０６  フィルム案内ロール
７  ロール本体
９  支持軸（支持体）
１０  軸受
１１Ａ，１１Ｂ，１１，２１１Ａ，２１１Ｂ，３１１  内側永久磁石
１２，１２Ａ，１２Ｂ，２１２，３１２  外側永久磁石
１３  エアギャップ
２５  アキシャル軸受
２６，３２６  ラジアル軸受
２８  位置調整機構
Ｌ  処理液
【図１】
2013151338.tif 000003
【図２】
2013151338.tif 000004
【図３】
2013151338.tif 000005
【図４】
2013151338.tif 000006
【図５】
2013151338.tif 000007
【図６】
2013151338.tif 000008
【図７】
2013151338.tif 000009
【図８】
2013151338.tif 000010
【図９】
2013151338.tif 000011
【図１０】
2013151338.tif 000012
【図１１】
2013151338.tif 000013